(57)【要約】【課題】本発明は細長い芯部（コア）から放射線状に、外側へ向かって突き出した多数のブラシ毛（剛毛）を備えて成るマスカラ・ブラシであって、長い方のブラシ毛の第１の数の先端がその外側の包絡面を、短い方のブラシ毛の第２の数の先端がその内側の包絡面を形成するように、ブラシ毛が異なる長さを有しているマスカラ・ブラシをブラシ毛のトリミングに沿って様々な塗布特性が得られるようにすること。【解決手段】短い方のブラシ毛の包絡面が円錐形、二重円錐形、凸面または凹面であるか、これらの形状を組み合わせた形であること。【選択図】図１
2006102509.tif 000002
【特許請求の範囲】
【請求項１】
細長い芯部（コア）から放射線状に、外側へ向かって突き出した多数のブラシ毛（剛毛）を備えて成るマスカラ・ブラシであって、第１の相当数の長い方のブラシ毛の先端がその外側の包絡面を、第２の相当数の短い方のブラシ毛の先端がその内側の包絡面を形成するように、ブラシ毛が異なる長さを有しているマスカラ・ブラシにおいて、
短い方のブラシ毛（７）の包絡面（１１）が円錐形、二重円錐形、凸面または凹面であるか、これらの形状を組み合わせた形であること
を特徴とするマスカラ・ブラシ。
【請求項２】
射出成形により、あるいは捻じり合わされたワイヤー部分（３，４）の間に固定されたブラシ毛（６，７）により製造されること特徴とする請求項１に記載のマスカラ・ブラシ。
【請求項３】
短いブラシ毛および／または長いブラシ毛（６，７）の繊維が円形で中実の素材から成り、これに伴いブラシ毛（６，７）の先端が螺旋形状であるか、あるいは中空の繊維、十字型の繊維、またはいわゆるＥＯＳ繊維がブラシ毛（６，７）に用いられ、これに伴い先端が無作為に、均等に配分されることを特徴とする請求項１に記載のマスカラ・ブラシ。
【請求項４】
短いブラシ毛および／または長いブラシ毛（６，７）の先端（８、１０）の形状が同一、あるいは異なる形状であり、特に円錐形、切頭円錐形、平らな断片状であることを特徴とする請求項１に記載のマスカラ・ブラシ。
【請求項５】
ブラシ毛（６，７）のショア硬さＡが５から１５０であることを特徴とする請求項１に記載のマスカラ・ブラシ。
【請求項６】
ブラシ毛が長手方向で見て円筒形または円錐形であることを特徴とする請求項１に記載のマスカラ・ブラシ。
【請求項７】
夫々の個々のブラシ毛が直径０．０５から０．０６ｍｍの包絡面を備えており、各包絡面の横断面が円形、あるいは円形以外であり、また長手方向に関しても様々であることを特徴とする請求項１に記載のマスカラ・ブラシ。
【請求項８】
請求項１〜４のいずれか一項に記載のマスカラ・ブラシの製造方法であって、
ブラシ毛がまず、後に芯部（コア）を形成するＵ字型のワイヤーの脚の間に置かれ、次にＵ字型の脚部を捻じり合せることにより平面形状から螺旋状になり、固定される製造方法にして、ブラシ毛がまだ平らな状態の間にＵ字型の脚部の間に仮固定され、その結果、ワイヤー部分の一方側に短い方のブラシ毛の終端部が、また別の側に長い方のブラシ毛の終端部が位置取り、少なくとも短い方のブラシ毛の終端部が輪郭線でカットされ、その後にＵ字型の脚部が捻じられることを特徴とするマスカラ・ブラシの製造方法。
【発明の詳細な説明】
【技術分野】
【０００１】
本発明は細長い芯部（コア）から放射線状に、外側へ向かって突き出した多数のブラシ毛（剛毛）を備えて成るマスカラ・ブラシであって、長い方のブラシ毛の第１の相当数の先端がその外側の包絡面を、短い方のブラシ毛の第２の相当数の先端がその内側の包絡面を形成するように、ブラシ毛が異なる長さを有しているマスカラ・ブラシに関するものである。
【背景技術】
【０００２】
【特許文献１】ＤＥ１０００３８５８Ａ１
【特許文献２】ＤＥ４４４６５２１Ａ１
【特許文献３】ＤＥ１０２１１７８０Ａ１
【特許文献４】ＵＳ６２８９９０２
【特許文献５】ＵＳ６２７９５０３
【特許文献６】ＵＳ６２６０５５８  その様なマスカラ・ブラシは特許文献１乃至６より公知である。
【０００３】
長さに変化をつけたブラシ毛を備えることには様々な理由があるが、主たる理由は、これにより得られるブラシ毛の異なる剛性を、一方ではマスカラ液をまつ毛に塗布する際の極めて良好な搬送特性および使用特性のために、また一方では有利なコーミング（梳き）特性と分離特性のために余すことなく利用することが出来るからである。従来の方法では、長さの異なるブラシ毛は、ブラシを製造する過程において、様々な長さのブラシ毛がワイヤーを捻じり合せる前に、多かれ少なかれ無造作に分配されるか、あるいはまた比較的長いブラシ毛が均一に切り揃えるられるだけでなく、完成したブラシにおいて様々な毛長さのブラシ毛がある特定の外側形状を形成するするように切り整えられることにより実現されていた。この方法により例えば、ブラシ全体またはブラシ先端が円錐形となり、あるいはまたブラシの外側面に刻み目がつけられた。
【０００４】
捻じり合わされたブラシが剛性の異なるブラシ毛を備えることもまた公知である。ブラシが製造された後にブラシ毛の終端部は研磨される。剛性の高いブラシ毛はその様な切削工程においてより強く削られ、柔らかいブラシ毛と比べると短くなる。
【０００５】
特許文献１より長い方のブラシ毛の先端が直径の大きな円筒形の表面上に位置し、短い方のブラシ毛の先端が直径の小さな円筒形の表面上に位置しているマスカラ・ブラシが公知である。
【０００６】
外側面部分をフライス盤で切削することを除けば、公知のブラシの短い方のブラシ毛はある特定の幾何学的形状の包絡面を有することも、円筒形状を有することもない。
【発明の開示】
【発明が解決しようとする課題】
【０００７】
従って本発明の根底をなす課題は、マスカラ・ブラシの短い方のブラシ毛がブラシの長手方向において様々な塗布特性を有するマスカラ・ブラシを創出することにある。
【課題を解決するための手段】
【０００８】
この課題は本発明に従い、短い方のブラシ毛の包絡面が円錐形、二重円錐形、凸面または凹面であるか、これらの形状を組み合わせた形であることにより解決される。
【発明の効果】
【０００９】
本発明に従う形状により、まぶた中央部分、あるいはまぶたの外側部分で、塗布するマスカラ液の量を変化させることにより、まつ毛に様々なアクセントをつけることが可能である。
【００１０】
本発明に従うブラシは射出成形により製造可能であるし、あるいはまた従来通りに、捻じり合わされたワイヤー部分の間にブラシ毛を固定する方法あっても良い。
【００１１】
捻じり合わされたブラシの場合には、例えば中空繊維、十字型の繊維、いわゆるＥＯＳ繊維などが用いられることにより、短い方のブラシ毛および／または長い方のブラシ毛の繊維の選択に応じて、先端部分が捻じり合わされたワイヤーの螺旋を反映した形状を備えることも、あるいは先端部分に均等な配分を行うことも可能である。
【００１２】
短いブラシ毛と長いブラシ毛の先端部分の形状は同じであっても、また違っていても良い。例えば円錐形、切頭円錐形、平らな断片状を有することが出来る。
【００１３】
本発明はまた捻じり合わされたブラシの製造方法に関するものであり、まずブラシ毛が後に芯部（コア）を形成するＵ字型のワイヤーの脚の間に置かれ、次にＵ字型の脚部を捻じり合せることにより平面形状から螺旋状になり、固定されるという製造方法であって、本発明に従う方法では、ブラシ毛はまだ平らな状態の間にＵ字型の脚部の間に仮りに固定され、これによりワイヤー部分の一方側に短い方のブラシ毛の終端部が、また別の側に長い方のブラシ毛の終端部が位置取り、次に少なくとも短い方のブラシ毛の終端部が輪郭線でカットされ、しかる後に初めてＵ字型の脚部が捻じられることを特徴とする。
【００１４】
ブラシ毛を非対称に、つまり差異のある長さをもってワイヤー部分の間に置くこと自体は公知である。これに対して、本発明の新規事項は、短い方の終端部が輪郭線でカットされ得るように仮の固定が行われることにより、捻じり合わせた後に短い方のブラシ毛には円筒形から外れた包絡面が生じ、ブラシの長手方向に沿って短い方のブラシ毛の長さに違いが生じることである。
【００１５】
ブラシ毛のショア硬さＡが５から１５０であれば有利である。ブラシ毛は円筒形や円錐形であって良い。夫々の個々のブラシ毛が０．０５から０．６ｍｍの包絡面を有していれば有利である。包絡面内側のブラシ毛の横断面は円形であっても、円形でなくても良く、また長手方向に関しても様々であって良い。
【発明を実施するための最良の形態】
【００１６】
以下に、図面を用いて本発明の実施例を詳細に説明する。
【００１７】
図示されたマスカラ・ブラシ１は芯部（コア）２を備えて成る。該コアはヘアピンのように折り曲げられたワイヤー５により、Ｕ字型の脚部又はワイヤー部分３，４を捻じり合わせることで形成されている。
【００１８】
ブラシ毛、つまり長いブラシ毛６と短いブラシ毛７は、ヘアピンのように折り曲げられたワイヤー５の捻じり合わされたワイヤー部分３，４の間に固定されている。ブラシ毛は毛束を成して、外へ向かってほぼ放射状に延びている。
【００１９】
長いブラシ毛６の先端８は外側包絡面９を形成し、短いブラシ毛７の先端１０は内側包絡面１１を形成している。
【００２０】
図１乃至図７に示されるように、外側包絡面９および内側包絡面１１は全く異なる形状を有することが可能であり、曲線または直線、凸面あるいは凹面の形状、またこれを併せた形状であって良い。
【００２１】
形状は塗布に際し如何なる特別な効果を期待するかに左右される。本発明に従うマスカラ・ブラシ１の製造方法を図９に図示する。それ自体は周知の方法で、ワイヤー５はヘアピンのように折り曲げられ、Ｕ字型を形成し、その結果２つの互いに平行なワイヤー部分３，４が作られる。多数のブラシ毛（その一部分のみを例示する）が互いに平行に、ワイヤー部分３，４に対しては垂直に、且つ非対称に挿入される。その結果一方の側、図９においては下側に長いブラシ毛６が、また反対の側、図９においては上側に短いブラシ毛７が配される。
【００２２】
実施例においては、ワイヤー部分３，４が固定されたＵ字型の湾曲部１３で矢印方向１２に捻じり合わされた後、長いブラシ毛又はブラシ毛切片の先端８はほぼ円筒形の包絡面を形成する。これを公知のカッターやカウンターパート・カッターを用いた切削作業により外側包絡面の形状に切り整える。
【００２３】
短いブラシ毛又はブラシ毛切片７はワイヤー部分３，４を互いに押し付け合い、あるいは保持装置を用いてかみ合わされることで捻じりあわされる前に仮りに固定され、次にＶ字型の切り取り線１４でカットされる。この結果、捻じり合わせた後に短いブラシ毛７の端部１０は二重円錐形（砂時計型）の包絡面上におかれ、図２に示されるようなブラシが製造される。
【図面の簡単な説明】
【００２４】
【図１】円筒形の外側包絡面と円錐体の頂点が外向きの二重円錐形の内側包絡面を備えるマスカラ・ブラシである。
【図２】円筒形の外側包絡面と円錐体の頂点が先端が内向きの二重円錐形の内側包絡面を備えるマスカラ・ブラシである。
【図３】円筒形の外側包絡面と左側部分が凸状で右側部分が凹状の内側包絡面を備えるマスカラ・ブラシである。
【図４】円筒形の外側包絡面と全体的に凹状の内側包絡面を備えるマスカラ・ブラシである。
【図５】野球ボールのように凸状に盛り上がった外側包絡面と切頭円錐形の端部領域を有する凹状の内側包絡面を備えるマスカラ・ブラシである。
【図６】円筒形の外側包絡面と切頭円錐形の内側包絡面を備えるマスカラ・ブラシである。
【図７】切頭円錐形の外側包絡面とこれに相対する切頭円錐形の内側包絡面を備えるマスカラ・ブラシである。
【図８】野球ボールのように凸状の外側包絡面とこれに相対する内側包絡面を備えるマスカラ・ブラシである。
【図９】本発明に従うマスカラ・ブラシの製造方法を説明する略図である。
【符号の説明】
【００２５】
２    コア
６    長い方のブラシ毛
７    短い方のブラシ毛
８    長い方のブラシ毛の先端
９    外側包絡面
１０    短い方のブラシ毛の先端
１１    内側包絡面
【図１】
2006102509.tif 000003
【図２】
2006102509.tif 000004
【図３】
2006102509.tif 000005
【図４】
2006102509.tif 000006
【図５】
2006102509.tif 000007
【図６】
2006102509.tif 000008
【図７】
2006102509.tif 000009
【図８】
2006102509.tif 000010
【図９】
2006102509.tif 000011